(57)【要約】【課題】既存の雨樋にも極めて容易に後付けできるようにして汎用性を高めるとともに、ゴミ詰まりの解消、更にはメンテナンスの容易化を図る。【解決手段】取水器１ａを、底板部２ｄ及び側板部２ｓを有し、かつ下部に取水した雨水Ｗを外部に排出する取水排出部３を設けた容器状の取水ケース部２と、この取水ケース部２の上端開口２ｐを覆うカバー部４とにより構成し、取水ケース部２の底板部２ｄに、上下方向に貫通する筒体部５を設け、底板部２ｄの下方に突出する部位を、下側縦樋部Ｄｄの開口に挿入する接続筒部５ｃとするとともに、カバー部４に、上側縦樋部Ｄｕが挿通する挿通孔部６及び取水ケース部２に係合する外側縁部４ｓを設ける。【選択図】図１
2005009155.tif 000002
【特許請求の範囲】
【請求項１】
雨樋の縦樋部を部分的に切断して得る上側縦樋部と下側縦樋部間に接続して取水を行う取水器を有する雨樋用集水装置において、前記取水器を、底板部及び側板部を有し、かつ下部に取水した雨水を外部に排出する取水排出部を設けた容器状の取水ケース部と、この取水ケース部の上端開口を覆うカバー部とにより構成し、前記取水ケース部の底板部に、上下方向に貫通する筒体部を設け、前記底板部の下方に突出する部位を、前記下側縦樋部の開口に挿入する接続筒部とするとともに、前記カバー部に、前記上側縦樋部が挿通する挿通孔部及び前記取水ケース部に係合する外側縁部を設けたことを特徴とする雨樋用集水装置。
【請求項２】
前記取水ケース部は、内部にゴミ類を阻止するゴミ取部を備えることを特徴とする請求項１記載の雨樋用集水装置。
【請求項３】
前記ゴミ取部は、前記取水ケース部の上端開口に係止する吊下部と、この吊下部の下端に支持され、かつ前記取水ケース部の内部に収容するゴミ取面部を備えることを特徴とする請求項１記載の雨樋用集水装置。
【請求項４】
前記取水排出部から排出される雨水を貯水する貯水タンクを備えることを特徴とする請求項１記載の雨樋用集水装置。
【請求項５】
前記貯水タンクを支持する高さ調整機構を有するタンク支持台を備えることを特徴とする請求項４記載の雨樋用集水装置。
【発明の詳細な説明】
【０００１】
【発明の属する技術分野】
本発明は、一般住宅等における雨樋の縦樋部に付設する取水器を有する雨樋用集水装置に関する。
【０００２】
【従来の技術】
従来、一般住宅等における雨樋の縦樋部に付設する取水器を有する雨樋用集水装置としては、特開２００１−２７９７２６号公報で開示される縦樋取水装置（雨樋用集水装置）が知られている。
【０００３】
この縦樋取水装置は、縦樋に取水器を配設し、この取水器から取水管路を介して外部の貯水槽へ雨水を導くようにするとともに、縦樋を、上部縦樋と、この上部縦樋の下端から離間する下部縦樋部とで構成し、取水器を、上部縦樋の下端と、下部縦樋部の上端下部との間に外嵌可能な集水タンクとしたものであり、特に、下部縦樋部を集水タンクに対してほぼ上下方向へ移動可能にすることにより、簡単に水位調整を行うことができるようにしたものである。
【特許文献１】
特開２００１−２７９７２６号公報
【０００４】
【発明が解決しようとする課題】
しかし、上述した従来の縦樋取水装置（雨樋用集水装置）は、次のような解決すべき課題が存在した。
【０００５】
第一に、雨樋と取水器をいわばセットとして構成するため、例えば、新築住宅において新規に雨樋を施工する場合には問題とならないが、既存住宅における施工済の雨樋に後付けする場合には、容易に施工できず、汎用性に欠ける。
【０００６】
第二に、落葉等のゴミ類が降雨時に流され、雨樋に進入することも多いが、雨樋のみの場合にはそのまま通過できるも、取水器を付設した場合には、雨樋の途中に開口の狭い取水部や分岐路部等が発生するため、ゴミ類が詰まりやすくなるとともに、ゴミが詰まった際における清掃等のメンテナンスも大変となる。
【０００７】
本発明は、このような従来の技術に存在する課題を解決したものであり、既存の雨樋にも極めて容易に後付けできるなど、汎用性を高めることができるとともに、ゴミ詰まりの解消、更にはメンテナンスの容易化を図ることができる雨樋用集水装置の提供を目的とする。
【０００８】
【課題を解決するための手段及び実施の形態】
本発明は、雨樋の縦樋部Ｄを部分的に切断して得る上側縦樋部Ｄｕと下側縦樋部Ｄｄ間に接続して取水を行う取水器１ａを有する雨樋用集水装置１を構成するに際して、取水器１ａを、底板部２ｄ及び側板部２ｓを有し、かつ下部に取水した雨水Ｗを外部に排出する取水排出部３を設けた容器状の取水ケース部２と、この取水ケース部２の上端開口２ｐを覆うカバー部４とにより構成し、取水ケース部２の底板部２ｄに、上下方向に貫通する筒体部５を設け、底板部２ｄの下方に突出する部位を、下側縦樋部Ｄｄの開口に挿入する接続筒部５ｃとするとともに、カバー部４に、上側縦樋部Ｄｕが挿通する挿通孔部６及び取水ケース部２に係合する外側縁部４ｓを設けたことを特徴とする。
【０００９】
この場合、好適な実施の形態により、取水ケース部２の内部には、ゴミ類を阻止するゴミ取部７、望ましくは、取水ケース部２の上端開口２ｐに係止する吊下部７ａと、この吊下部７ａの下端に支持され、かつ取水ケース部２の内部に収容するゴミ取面部７ｂを備えるゴミ取部７を設けることができる。一方、雨樋用集水装置１は、取水排出部３から排出される雨水Ｗを貯水する貯水タンク１ｂ、更には、この貯水タンク１ｂを支持する高さ調整機構１２を有するタンク支持台１３を備えて構成できる。
【００１０】
【実施例】
次に、本発明に係る好適な実施例を挙げ、図面に基づき詳細に説明する。
【００１１】
まず、本実施例に係る雨樋用集水装置１の構成について、図１〜図４を参照して説明する。
【００１２】
雨樋用集水装置１は、基本的な構成として、取水器１ａと貯水タンク１ｂを備える。取水器１ａは、取水ケース部２，カバー部４及びゴミ取部７を備え、これらは高温，冬季の凍結及び自然風化に強く、錆の生じないステンレス材により形成する。取水ケース部２は、円形（ドーナツ形）の底板部２ｄ及び円筒形の側板部２ｓを有することにより、全体が上端開口２ｐの容器状となる。そして、下部となる側板部２ｓの下端付近には、取水した雨水Ｗを外部に排出する取水排出部３を設けるとともに、底板部２ｄの中心には、上下方向に貫通する筒体部５を取付けて一体化する。この場合、底板部２ｄから上方に突出する筒体部５は、取水ケース部２における一時的な最大取水量を決定するため、所定の長さ（高さ）を確保する。また、底板部２ｄから下方に突出する筒体部５は、下側縦樋部Ｄｄの開口に挿入する接続筒部５ｃとなるため、所定の長さを確保するとともに、縦樋部Ｄに適合する外径を選定する。なお、底板部２ｄ，側板部２ｓ，筒体部５等は、溶接（ＴｉＧ溶接等）により一体に構成する。
【００１３】
一方、カバー部４は、図３に示すように、ドーナツ形に形成した天板部４ｕ及び円筒形に形成した外側縁部４ｓを有する。カバー部４は、取水ケース部２の上端開口２ｐを覆うことができるとともに、特に、外側縁部４ｓは、取水ケース部２の外周部上端に係合する。この外側縁部４ｓには、横方に突出した取手部２１を取付ける。さらに、ドーナツ形に形成した天板部４ｕの中心は、挿通孔部６となり、上側縦樋部Ｄｕが挿通する。したがって、挿通孔部６の内径は、上側縦樋部Ｄｕの外径よりも若干大きい内径に形成する。なお、カバー部４も取水ケース部２と同様のステンレス材により形成できるとともに、天板部４ｕ，外側縁部４ｓ，取手部２１等は、溶接（ＴｉＧ溶接等）により一体に構成する。
【００１４】
また、ゴミ取部７は、図３に示すように、取水ケース部２の上端開口２ｐに係止する吊下部７ａと、この吊下部７ａの下端に支持され、かつ取水ケース部２の内部に収容するゴミ取面部７ｂを有する。吊下部７ａは、取水ケース部２の上端開口２ｐに係止する係止リング２２と、この係止リング２２の内周部に上端を固定した四本の吊下ステー２３…を有し、各吊下ステー２３…の下端は、ゴミ取面部７ｂの上面に固定する。一方、ゴミ取面部７ｂは、良好な通水性を有し、かつゴミ類の通過を阻止するものであり、所定の大きさのメッシュを有する金網やパンチングメタル等を用いることができる。係止リング２２，各吊下ステー２３…及びゴミ取面部７ｂ等は、溶接（ＴｉＧ溶接等）により一体に構成する。
【００１５】
他方、貯水タンク１ｂは、取水排出部３から排出される雨水Ｗを貯水するものであり、高さ調整機構１２を有するタンク支持台１３により支持される。貯水タンク１ｂは、上端開口のタンク本体部３１と、このタンク本体部３１の上端開口を覆う蓋部３２を有する。タンク本体部３１の中間部には、後述する送水ホース４１を接続する接続口部４３を設けるとともに、タンク本体部３１の下部には、蛇口３３を取付ける。この接続口部４３を通して、取水器１ａの取水排出部３から排水される雨水Ｗを取込むことができるとともに、蛇口３３を通して貯水された雨水Ｗを外部に排水できる。なお、３４は、タンク本体部３１の内面間に取付けた補強板であり、多数の通水孔が形成されている。さらに、３５は、タンク本体部３１の内部に収容した多数の通水孔を有する小ケースであり、この小ケース３５には、例えば、雨水Ｗを浄水する炭等の処理材を収容することにより、雨水Ｗに対する各種処理を行うことができる。
【００１６】
また、タンク支持台１３は、地面等に接地する基部３６と、この基部３６により、高さ調整機構１２を介して支持される載台部３７を有する。貯水タンク１ｂは、この載台部３７の上に載置できる。高さ調整機構１２は、基部３６における筒形に形成した四本の支持脚部３６ｐ…に設けた係止ピン（係止ボルト）３８…と、載台部３７における四本の被支持脚部３７ｐ…に所定間隔おきに形成した複数の係止孔３９…を有する。これにより、各支持脚部３６ｐ…に各被支持脚部３７ｐ…を挿入するとともに、係止ピン３８…を、選択した係止孔３９…に係止することにより、タンク支持台１３の高さを設定（変更）することができる。そして、取水器１ａの取水排出部３と貯水タンク１ｂの接続口部４３は、送水ホース４１により接続する。この場合、送水ホース４１には、開閉バルブ４２が接続されている。
【００１７】
次に、本実施例に係る雨樋用集水装置１の設置方法及び機能について、図１〜図５を参照して説明する。
【００１８】
図１中、Ｄは、一般住宅等の外壁Ｈに取付けた複数の固定リング５１…により支持された縦樋部（雨樋）を示す。雨樋用集水装置１は、新築住宅における新規施工も容易であるが、特に、既存住宅における施工済の雨樋（縦樋部Ｄ）に対する後付けも極めて容易である。
【００１９】
以下、施工済の雨樋（縦樋部Ｄ）に後付けする場合について説明する。まず、縦樋部Ｄを部分的に切断し、図５に示す上側縦樋部Ｄｕと下側縦樋部Ｄｄを得る。そして、取水器１ａを装着する際には、同図に示すように、最初に、上側縦樋部Ｄｕに対して、下からカバー部４の挿通孔部６を通し、この状態で、ゴミ取部７を収容した取水ケース部２を、上側縦樋部Ｄｕと下側縦樋部Ｄｄ間に介在させ、取水ケース部２の接続筒部５ｃを下側縦樋部Ｄｄに挿入する。なお、取水ケース部２を、上側縦樋部Ｄｕと下側縦樋部Ｄｄ間に介在させる際は、図５に示すように、取水ケース部２の上端開口２ｐの中に上側縦樋部Ｄｕを入れればよい。また、接続筒部５ｃを下側縦樋部Ｄｄに挿入したなら、カバー部４を降ろして取水ケース部２の上端開口２ｐに被せる。このように、縦樋部Ｄに対する取水器１ａの装着（着脱）は、極めて容易に行うことができる。この場合、装着した取水器１ａは、接続筒部５ｃが下側縦樋部Ｄｄの上端開口に挿入されることにより、取水器１ａの下端が縦樋部Ｄに対して同軸上に位置決めされるとともに、カバー部４が取水ケース部２の上端開口２ｐに装着されることにより、外側縁部４ｓが取水ケース部２の外周面上端に係合し、取水器１ａの上端が縦樋部Ｄに対して同軸上に位置決めされる。
【００２０】
なお、カバー部４を取り扱う際には、取手部２１を利用することができる。また、ゴミ取部７を取水ケース部２に収容する際には、取水ケース部２の上端開口２ｐからそのままゴミ取面部７ｂを挿入すればよい。これにより、係止リング２２が上端開口２ｐに係止し、ゴミ取面部７ｂは、取水ケース部２の内部における中間位置に配される。
【００２１】
他方、タンク支持台１３は、任意の空場所に設置することができる。そして、設置したタンク支持台１３には、貯水タンク１ｂを載置する。また、取水器１ａの取水排出部３と貯水タンク１ｂの接続口部４３は、開閉バルブ４２を有する送水ホース４１により接続する。これにより、全ての施工が終了する。図４は、設置時の外観構成を示している。
【００２２】
よって、このような本実施例に係る雨樋用集水装置１によれば、上側縦樋部Ｄｕから流れ落ちる雨水Ｗは、取水ケース部２の中に入るとともに、一部が筒体部５と取水ケース部２間の空間に入る。筒体部５と取水ケース部２間の雨水Ｗは、取水排出部３から排出され、送水ホース４１を通り、貯水タンク１ｂに流入する。そして、貯水タンク１ｂが満杯になった際には、筒体部５と取水ケース部２間における雨水Ｗも一杯になり、オーバフローした雨水Ｗは、筒体部５から下側縦樋部Ｄｄに排出される。したがって、筒体部５の上端位置が、貯水タンク１ｂにおける満杯時の水面位置Ｌｗとなるため、この水面位置Ｌｗを考慮して、縦樋部Ｄを切断する位置を選定することができる。しかも、この水面位置Ｌｗは、タンク支持台１３の高さ調整機構１２により設定（変更）することができるため、高さ調整機構１２の採用により、タンク支持台１３の設置自由度が高められる。
【００２３】
さらに、上側縦樋部Ｄｕから流れ込んだゴミ類は、ゴミ取部７（ゴミ取面部７ｂ）により阻止される。したがって、ゴミ類が、取水器１ａの装着により発生した開口の狭い取水部や分岐路部等に詰まる不具合が解消される。一方、ゴミ取面部７ｂに溜まったゴミ類は、カバー部４を持ち上げるのみで、取水ケース部２の上端開口２ｏが開放されるため、極めて容易に外部に除去することができる。しかも、取水器１ａの取外しも前述した装着時と逆の操作を行うことにより、容易に行うことができるため、取水ケース部２の洗浄やゴミ取部７の交換等のメンテナンスも極めて容易に行うことができる。
【００２４】
以上、実施例について詳細に説明したが、本発明はこのような実施例に限定されるものではなく、細部の構成，形状，素材，大きさ，数量等において、本発明の要旨を逸脱しない範囲で、任意に変更，追加，削除することができる。例えば、形成素材としてステンレス材を例示したが、プラスチック等の他の素材を用いても勿論よい。この場合、接合部分の一部又は全部を一体成形することができる。また、ゴミ取部７は、取水ケース部２の内部に一体に設けてもよい。さらに、貯水タンク１ｂを設置することなく、取水排出部３に接続した送水ホース４１を直接必要な場所に導いてもよい。
【００２５】
【発明の効果】
このように、本発明に係る雨樋用集水装置は、取水器を、底板部及び側板部を有し、かつ下部に取水した雨水を外部に排出する取水排出部を設けた容器状の取水ケース部と、この取水ケース部の上端開口を覆うカバー部とにより構成し、取水ケース部の底板部に、上下方向に貫通する筒体部を設け、底板部の下方に突出する部位を、下側縦樋部の開口に挿入する接続筒部とするとともに、カバー部に、上側縦樋部が挿通する挿通孔部及び取水ケース部に係合する外側縁部を設けたため、次のような顕著な効果を奏する。
【００２６】
（１）  一般住宅等における既存の雨樋にも極めて容易に後付けできるなど、汎用性を飛躍的に高めることができるとともに、装着後のメンテナンスも極めて容易に行うことができる。
【００２７】
（２）  好適な実施の形態により、取水器に、取水ケース部の内部にゴミ取部を設ければ、ゴミ詰まりを解消できるとともに、溜まったゴミ類も極めて容易に取り除くことができる。
【００２８】
（３）  好適な実施の形態により、取水排出部から排出される雨水を貯水する貯水タンク及び貯水タンクを支持する高さ調整機構を有するタンク支持台を設ければ、特に、貯水タンクの設置自由度を高めることができる。
【図面の簡単な説明】
【図１】本発明の好適な実施例に係る雨樋用集水装置の全体を示す一部断面構成図、
【図２】図１中Ａ−Ａ線断面図、
【図３】同雨樋用集水装置における構成部品の分解斜視図、
【図４】同雨樋用集水装置の外観図、
【図５】同雨樋用集水装置の装着方法を説明するための断面図、
【符号の説明】
１    雨樋用集水装置
１ａ  取水器
１ｂ  貯水タンク
２    取水ケース部
２ｐ  上端開口
２ｄ  底板部
２ｓ  側板部
３    取水排出部
４    カバー部
５    筒体部
５ｃ  接続筒部
６    挿通孔部
７    ゴミ取部
７ａ  吊下部
７ｂ  ゴミ取面部
１２  高さ調整機構
１３  タンク支持台
Ｄ    縦樋部
Ｄｕ  上側縦樋部
Ｄｄ  下側縦樋部
Ｗ    雨水
【図１】
2005009155.tif 000003
【図２】
2005009155.tif 000004
【図３】
2005009155.tif 000005
【図４】
2005009155.tif 000006
【図５】
2005009155.tif 000007